(57)【特許請求の範囲】
【請求項１】
少なくとも映像情報を含む情報信号から映像情報を抽出する抽出手段と、
抽出された映像情報に対して無効データを挿入するデータ挿入手段と、
上記データ挿入手段を制御し、上記映像情報へのデータの挿入を制御する制御手段と、
上記データ挿入手段からの映像情報を入力順に保持するリニアバッファ部分及びこのリニアバッファ部分からの出力が入力されるリングバッファ部分を含むバッファと、
このバッファからの映像情報を復号する復号手段とを備え、
上記制御手段は、特殊再生による上記情報信号の供給停止時に上記データ挿入手段を制御し、映像情報に無効データを挿入させることにより上記バッファの上記リニアバッファ部分に保持されている映像情報を順に出力させ、また、該制御手段は、ヘッダを持たない画像情報から再生する場合には、上記データ挿入手段を制御し、該映像情報に所定のヘッダを挿入させる
ことを特徴とする情報信号処理装置。
【請求項２】
上記情報信号を媒体から読み出す読み出し手段を有することを特徴とする請求項１記載の情報信号処理装置。
【請求項３】
時系列の情報信号のパケットの種類を解析する解析手段と、この解析の結果によって該パケットの送り先を切り換える切り換え手段とを有することを特徴とする請求項１記載の情報信号処理装置。
【請求項４】
少なくとも映像情報を含む情報信号から映像情報を抽出する工程と、
抽出された映像情報に対して無効データを挿入するデータ挿入工程と、
上記映像情報へのデータの挿入を制御する制御工程と、
上記データ挿入工程からの映像情報をリニアバッファ部分及びリングバッファ部分を含むバッファの上記リニアバッファ部分に入力順に保持する工程と、
このバッファからの映像情報を復号する復号工程とを有し、
上記制御工程では、特殊再生による上記情報信号の供給停止時に上記データ挿入を制御し、映像情報に無効データを挿入させることにより上記バッファの上記リニアバッファ部分に保持されている映像情報を順に出力させ、また、該制御工程では、ヘッダを持たない画像情報から再生する場合には、上記データ挿入を制御し、該映像情報に所定のヘッダを挿入させる
ことを特徴とする情報信号処理方法。
【発明の詳細な説明】
【０００１】
【発明の属する技術分野】
この発明は、情報信号に含まれる映像情報を処理する情報信号処理装置に関する。
【０００２】
【従来の技術】
従来、映像、音声等のソフトを記録する媒体として、デジタルビデオディスク（Degital Video Disc; DVD）が提供されている。このＤＶＤは、直径１２ｃｍの光ディスクであり、映像、音声等の情報をデジタル化した情報信号として、片面又は両面に備える一層又は二層の記録層のトラックに沿って記録している。
【０００３】
上記情報信号は、ＤＶＤの記録層には、所定のフォーマットに従うパケットとして記録されている。映像、音声等の情報はパケット化されることにより、情報信号の一連のストリームに混在が可能となり、情報のチャンネルの多重化が図られている。情報の多重化により各種チャンネルが混在したパケットは、再生時にチャンネルに応じて分離される。
【０００４】
このようなＤＶＤから映像情報を再生するには、ＤＶＤから読み出される情報信号の一連のストリームから映像情報を分離し、さらに、この映像情報を復号してテレビジョン受像器に映像として表示できるように、情報信号処理装置によって一定の信号処理がなされる。
【０００５】
【発明が解決しようとする課題】
ところで、上記情報信号処理装置は、映像信号を連続して供給するために、映像情報を保持するバッファを備えている。即ち、映像情報は情報信号の一連のストリームからパケット単位で間欠的に取り出されるので、映像信号に一定のレートで復号するためには、少なくとも一定の量の映像情報をバッファにストアしておく必要がある。
【０００６】
このため、映像信号に復号されテレビジョン受像器に表示される画像は、一旦バッファにてストアされているので、この情報信号処理装置に供給されている一連の情報信号のストリームから抽出される映像情報との間に、時間的な遅延を生じることになる。
【０００７】
このため、特殊再生を行う場合には、不具合が生じることがある。例えば、映像のジャンプを行う場合、ジャンプ前等のバッファメモリに残在している映像が表示されることがある。また、情報信号から抽出された映像情報は、所定のフォーマットに基づいて記述されていることから、ジャンプ後に正常に再生できる箇所が限定されることがあった。
【０００８】
この発明は、上述の実情に鑑みてなされるものであって、特殊再生を行う場合にも不具合を招来することがない情報信号処理装置及び方法を提供することを目的とする。
【０００９】
【課題を解決するための手段】
この発明に係る信号記録装置は、少なくとも映像情報を含む情報信号から映像情報を抽出する抽出手段と、抽出された映像情報に対して無効データを挿入するデータ挿入手段と、上記データ挿入手段を制御し、上記映像情報へのデータの挿入を制御する制御手段と、上記データ挿入手段からの映像情報を入力順に保持するリニアバッファ部分及びこのリニアバッファ部分からの出力が入力されるリングバッファ部分を含むバッファと、このバッファからの映像情報を復号する復号手段とを備え、上記制御手段は、特殊再生による上記情報信号の供給停止時に上記データ挿入手段を制御し、映像情報に無効データを挿入させることにより上記バッファの上記リニアバッファ部分に保持されている映像情報を順に出力させ、また、該制御手段は、ヘッダを持たない画像情報から再生する場合には、上記データ挿入手段を制御し、該映像情報に所定のヘッダを挿入させるものである。
【００１３】
そして、上記情報信号処理装置は、上記情報信号を媒体から読み出す読み出し手段を有するものである。
【００１４】
さらに、上記情報信号処理装置は、時系列の情報信号のパケットの種類を解析する解析手段と、この解析の結果によって該パケットの送り先を切り換える切り換え手段とを有するものである。
【００１５】
上述の課題を解決するために、この発明に係る信号記録方法は、少なくとも映像情報を含む情報信号から映像情報を抽出する工程と、抽出された映像情報に対して無効データを挿入するデータ挿入工程と、上記映像情報へのデータの挿入を制御する制御工程と、上記データ挿入工程からの映像情報をリニアバッファ部分及びリングバッファ部分を含むバッファの上記リニアバッファ部分に入力順に保持する工程と、このバッファからの映像情報を復号する復号工程とを有し、上記制御工程では、特殊再生による上記情報信号の供給停止時に上記データ挿入を制御し、映像情報に無効データを挿入させることにより上記バッファの上記リニアバッファ部分に保持されている映像情報を順に出力させ、また、該制御工程では、ヘッダを持たない画像情報から再生する場合には、上記データ挿入を制御し、該映像情報に所定のヘッダを挿入させるものである。
【００１９】
【発明の実施の形態】
以下、この発明に係る情報信号処理装置及び方法の実施の形態の一例を、図面を参照しながら詳細に説明する。
【００２０】
この発明に係る情報信号処理装置の実施の形態の一例は、図１に示すように、光ディスク１からＲＦ信号を再生するピックアップ２と、このピックアップ２により再生されたＲＦ信号が供給されこのＲＦ信号の２値化処理等をするＲＦ回路３と、ＲＦ回路３からの再生データが供給されエラー訂正等のデコード処理をするデータデコーダ４と、データデコーダ４によりデコード処理がされた再生データを主映像圧縮データ，副映像圧縮データ及び音声圧縮データに振り分けるデマルチプレクサ５とを備える。
【００２１】
また、この情報信号処理装置は、上記主映像圧縮データを伸張するビデオデコーダ６と、上記副映像圧縮データを伸張して主映像データと合成する副映像デコーダ７と、上記音声圧縮データを伸張するオーディオデコーダ８と、副映像デコーダ７からの主映像データと副映像データが合成された映像データが供給されＮＴＳＣ信号又はＰＡＬ信号に変換するデジタル／ＮＴＳＣ，ＰＡＬ変換回路（以下、単にＮＴＳＣ変換回路という。）９と、オーディオデコーダ８からのオーディオデータが供給されアナログ信号に変換するデジタル／アナログ変換回路（以下、単にＤ／Ａ変換回路という。）１０とを備える。
【００２２】
また、この情報信号処理装置は、ピックアップ２，ＲＦ回路３，データデコーダ４，デマルチプレクサ５，ビデオデコーダ６，副映像デコーダ７，オーディオデコーダ８，ＮＴＳＣ変換回路９及びＤ／Ａ変換回路１０を制御するコントローラ１１と、このコントローラ１１とユーザーの操作入力を媒介するユーザーインターフェース１２と、コントローラ１１のデータ記憶部となるメモリ１３とを備える。
【００２３】
この情報信号処理装置は、光ディスク１として再生専用，追記型，書換型等のＤＶＤディスク及びＤＶＤ−ＶＩＤＥＯディスクを再生する。
【００２４】
ピックアップ２は、光ディスク１からＲＦ信号を再生してＲＦ回路３に供給する。
【００２５】
ＲＦ回路３は、このＲＦ信号の波形等化及び２値化等をしてデジタルデータとその同期信号等を生成する。このＲＦ回路３により生成されたデジタルデータ等は、データデコーダ４に供給される。
【００２６】
データデコーダ４は、ＲＦ回路３により生成されたデジタルデータに基づきデータの復調や誤り訂正等の処理を行う。データデコーダ４により復調等がされたデジタルデータは、デマルチプレクサ５に供給される。
【００２７】
また、このデータデコーダ４では、ＭＰＥＧ２のフォーマットにおけるシステムヘッダや、パックヘッダ等に含まれるパラメータ情報やＤＶＤフォーマットにおけるナビゲーションパック（Navigation Pack：ＮＶ＿ＰＣＫ）に含まれる所定の情報等を検出する。この検出したパラメータ情報等は、データデコーダ４からコントローラ１１に供給される。
【００２８】
また、このデータデコーダ４は、デジタルデータの出力段にトラックバッファ４ａを有している。このトラックバッファ４ａによりデータデコーダ４とデマルチプレクサ５の処理速度の違いが吸収される。
【００２９】
デマルチプレクサ５は、データデコーダ４によりエラー訂正のデコード処理等がされたデジタルデータを、主映像圧縮データと、副映像圧縮データと、音声圧縮データとに分割する。
【００３０】
ここで、主映像圧縮データとは、ＭＰＥＧ２の方式で圧縮された映像データであり、例えばＤＶＤのフォーマットにおけるＶｉｄｅｏ  ｓｔｒｅａｍｓである。副映像圧縮データとは、主映像に合成される字幕画像等のデータであり、例えば、ＤＶＤのフォーマットにおけるＳｕｂ−ｐｉｃｔｕｒｅ  ｓｔｒｅａｍｓである。音声圧縮データとは、ＭＰＥＧ２等の方式で圧縮等された音声データであり、ＤＶＤのフォーマットにおけるＡｕｄｉｏ  ｓｔｒｅａｍｓである。
【００３１】
デマルチプレクサ５は、主映像圧縮データをビデオデコーダ６に供給し、副映像圧縮データを副映像デコーダ７に供給し、音声圧縮データをオーディオデコーダ８に供給する。
【００３２】
ビデオデコーダ６は、主映像圧縮データの復号処理を行い、この復号処理により伸張化された主映像データを生成する。このビデオデコーダ６は、復号処理を行うために３画面分のメモリを有している。すなわち、ＭＰＥＧ２のフォーマットにおけるＩ−Ｐｉｃｔｕｒｅ，Ｐ−Ｐｉｃｔｕｒｅ，Ｂ−Ｐｉｃｔｕｒｅを復号してビデオデコーダ６のメモリに格納し、さらに、この復号された各ピクチャをこのメモリ上から出力する。なお、このメモリは、３画面分に限らず、これ以上の容量があってもよい。ビデオデコーダ６は、生成した主映像データを副映像デコーダ７に供給する。
【００３３】
副映像デコーダ７は、副映像圧縮データの復号処理を行い、この復号処理をした副映像データをビデオデコーダ６から供給された主映像データに合成して、映像データを生成する。すなわち、副映像デコーダ７は、副映像データとして再生される字幕画像等を主映像と合成する。なお、この副映像デコーダ７は、副映像データが無い場合には、主映像データをそのまま映像データとして出力する。副映像デコーダ７は、生成した映像データをＮＴＳＣ変換回路９に供給する。
【００３４】
オーディオデコーダ８は、音声圧縮データの復号処理を行い、伸張した音声データを生成する。すなわち、オーディオデコーダ８は、音声圧縮データがＭＰＥＧ２のフォーマットで圧縮されていれば、これに対応した伸張処理をして、音声データを生成する。なお、この音声データがこのＭＰＥＧ２のフォーマットの他に、ＰＣＭ等のフォーマットで符号化されたものであれば、これに対応した復号処理を行う。オーディオデコーダ８は、生成した音声データをＤ／Ａ変換回路１０に供給する。
【００３５】
ＮＴＳＣ変換回路９は、映像データをデジタルデータからＮＴＳＣやＰＡＬ等のテレビジョン信号に変換して出力する。この出力をモニタ等に供給することにより、ユーザーが記録媒体１から再生した映像を視聴することができる。
【００３６】
Ｄ／Ａ変換回路１０は、デジタルデータである音声データをアナログの音声データに変換して出力する。この出力をスピーカ等に供給することにより、ユーザーが記録媒体１から再生した映像を視聴することができる。
【００３７】
コントローラ１１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＤ／Ａ変換回路１０の制御を行う。
【００３８】
また、このコントローラ１１には、操作パネルやリモートコントローラであるユーザーインターフェース１２を介して操作入力がされ、この操作入力に基づき各回路の制御を行う。
【００３９】
また、コントローラ１１は、メモリ１３に各制御データ等を記憶させ、メモリ１３が記憶したデータに基づき各回路の制御を行う。
【００４０】
図２は、上記コードバッファを明示したＤＶＤ再生装置の要部の構成を示すブロック図であり、デマルチプレクサ５からの上記主映像圧縮データは、コードバッファ６ａに一時記憶され、このコードバッファ６ａから読み出されたデータがビデオデコーダ６に送られる。また、デマルチプレクサ５からの上記副映像圧縮データはコードバッファ７ａに、上記音声圧縮データはコードバッファ８ａにそれぞれ一時記憶され、各コードバッファ７ａ，８ａから読み出された各データがそれぞれ副映像（ＳＰ）デコーダ７，オーディオデコーダ８に送られる。なお、これらのコードバッファ６ａ，７ａ，８ａは、実際には各デコーダ６，７，８の入力段にそれぞれ設ける構成とされることが多い。また、切り替え制御器１５は、シーンの分岐等の際にＳＴＣ（システムタイムクロック）を適宜に切り替えて各デコーダ６，７，８に供給するためのものである。他の構成は、上述した図１の構成と同様であるため説明を省略する。
【００４１】
ＤＶＤ−ＶＩＤＥＯディスクでは、図３に示すように、Video Object Set(ＶＯＢＳ)単位で主映像データ，副映像データ，音声データを管理する。このＶＯＢＳは、例えば、映画の１作品等の単位となる。このＶＯＢＳは、複数のVideo Object（ＶＯＢ）から構成されている。このＶＯＢは、各データがディスク上に１群として記録されている単位である。また、このＶＯＢＳは、複数のＣｅｌｌで構成されている。このＣｅｌｌは、例えば映画における１シーンや１カット等の単位となり、１Ｃｅｌｌが数分から１０数分という時間の単位である。また、ＤＶＤでは、例えば、１つの映画を複数のストーリー展開で見ることができるマルチストーリといったフォーマットやいわゆるパレンタルロックといわれる暴力シーンなどの教育上好ましくないシーンをとばしたりする機能を備えており、このような機能は、このＣｅｌｌの組み合わせにより作成される。
【００４２】
Ｃｅｌｌは、複数のVideo Object Unit（ＶＯＢＵ）により構成されている。このＶＯＢＵは、動画像で０．４から１．２秒の単位であり、このＶＯＢＵの中にＭＰＥＧ２のフォーマットにおける複数のＧＯＰ（Group Of Pictures）が含まれることになる。
【００４３】
このＶＯＢＵは、このＶＯＢＵの管理情報を有するパックであるナビゲーションパックＮＶ＿ＰＣＫと、主映像を有するパックであるビデオパックＶ＿ＰＣＫと、音声データを有するパックであるオーディオパックＡ＿ＰＣＫと、副映像データを有するパックであるサブピクチャパックＳＰ＿ＰＣＫとにより構成されている。このビデオパックＶ＿ＰＣＫ、オーディオパックＡ＿ＰＣＫ、サブピクチャＳＰ＿ＰＣＫは、それぞれＭＰＥＧ２等のフォーマットで圧縮されて記録媒体１上に記録されている。
【００４４】
ＤＶＤ−ＶＩＤＥＯディスクのフォーマットのおいては、上述した構造の各データがそれぞれ各種管理情報により管理されている。コントローラ１１は、映像データ等を光ディスク１から再生する際に、この管理情報を光ディスク１から取得してメモリ１３に記憶させ、データの再生等の制御を行う。
【００４５】
ここで、情報信号処理装置のデマルチプレクサ５に入力する情報信号の一例として、図４に、ビデオパケットＶ＿ＰＫＴを含むパック（即ち、上記ビデオパックＶ＿ＰＣＫ）を示す。
【００４６】
このパックは、パックヘッダＰＨと、ビデオパケットＶ＿ＰＫＴとからなる。このビデオパケットＶ＿ＰＫＴは、さらに、パケットヘッダＰＫＴ＿Ｈと、ビデオパケットペイロードＰＫＴ＿ＰＬから構成されている。ここで、パックヘッダＰＨ及びパケットヘッダＰＫＴ＿Ｈは管理情報等を含み、ビデオパケットペイロードＰＫＴ＿ＰＬは映像情報を含んでいる。
【００４７】
これらの情報信号が入力するデマルチプレクサ５の一例は、図５に示すように、解析部５１と、データ発生部５２と、セレクタ５３と、切り換えスイッチ５５とから構成されている。このデマルチプレクサ５に入力した情報信号は、解析部５１にてパックの種類を解析される。即ち、該パックがナビゲーションパックＮＶ＿ＰＣＫ、ビデオパックＶ＿ＰＣＫと、オーディオパックＡ＿ＰＣＫ、サブピクチャパックＳＰ＿ＰＣＫのいずれであるかが解析される。データ発生部５２と切り換えスイッチ５５とは、後述するように、解析部５１からの映像情報にデータを挿入するデータ挿入部を構成している。
【００４８】
上記解析部５１にて解析がなされた情報信号のパケットは、この解析の結果にょって解析部５１の制御の下にセレクタ５３にて、ビデオ切り換え端子Ｖ、サブピクチャ切り換え端子ＳＰ、オーディオ切り換え端子Ａ、ナビゲーション切り換え端子ＮＶに切り換えられる。
【００４９】
上記解析部５１とセレクタ５３との間には、無効データ、いわゆるダミーデータを発生するデータ発生部５２と切り換えスイッチ５５とから成るデータ挿入部が設けられている。このデータ挿入部は、解析部５１からの映像情報に、制御信号に応じてダミーデータ（無効データ）を挿入するものである。すなわち、この情報信号処理装置に供給される情報信号が停止した場合には、コントローラ１の制御によって、データ発生部５２で発生されたダミーデータ（無効データ）を、切り換えスイッチ５５を介してセレクタ５３に送る。セレクタ５３は上記ビデオ切り換え端子Ｖに切り換えられており、このダミーデータを上記図２のビデオデコーダ６の備えるビデオバッファ６ａに送る。
【００５０】
上記ビデオバッファ６ａは、図６に示すように、リニアバッファＬＢとリングバッファＲＢとから構成される。
【００５１】
上記リニアバッファＬＢは、所定量のデータを線形のメモリに順に保持し、これらのデータを入力側から出力側へ順に移動させることにより入力した順で出力する一種のシフトレジスタである。このリニアバッファＬＢから出力したデータは、順にリングバッファＲＢに入力する。
【００５２】
ここで、このリニアバッファＬＢは、常に一定の量のデータを保持しているので、再生の停止時やトラックジャンプ時等において上記ビデオバッファ６ａへの画像情報信号の供給が停止されたときには、このリニアバッファＬＢに保持されているデータが残ってしまい、デコードすることができないわけであるが、本実施の形態においては、後述するように、上記ダミーデータ発生部５２からのダミーデータを順に入力することにより上記データを順に押し出すものである。
【００５３】
上記リングバッファＲＢは、リング状に配置されたメモリにのライトポイントＷＰにデータを順に書き込み、リードポイントＲＰからデータを順に読み出すものである。このリングバッファＲＢにおいては、リードポイントＲＰがライトポイントＷＰを追い越さない限りにおいて、出力するデータのレートを自由に変化させることができる。このリングバッファＲＢは、上記リードポイントＲＰを移動させることによりで、このリングバッファＲＢの保持しているデータを全て出力させることができる。
【００５４】
このビデオバッファ６ａは、最初に入力されたデータが最初に出力されるいわゆるＦＩＦＯ（First In First Out）型のバッファである。
【００５５】
ところで、このようなビデオバッファ６ａは、一部にリニアバッファＬＢを有しているので、このビデオバッファ６ａは、常に一定の量のデータを保持している。このため、この情報信号処理装置に入力する情報信号が停止した場合には、停止する前の画像情報がこのビデオバッファ６ａに残存することになる。
【００５６】
例えば、映像のジャンプ等の特殊再生の際に、このビデオバッファ６ａへの情報信号の供給が停止した場合には、ビデオバッファ６ａにはまだデコードされていない映像情報が残存するので、媒体から読み出されたデータが一部映像として出力されないことになる。また、ＤＶＤ−ＶＩＤＥＯからの情報信号の供給が再開された場合には、読み出されている情報信号の先に、残存している映像情報が出力される。
【００５７】
従って、情報信号の供給の停止を伴う特殊再生等の際に、映像を正常に出力させるためには、情報信号の停止時に一旦ビデオバッファ６ａの上記リニアバッファＬＢに保持されている映像情報を出力させることが必要となる。
【００５８】
このために、上記デマルチプレクサ５内のデータ挿入部を、コントローラからの制御信号により制御し、映像情報にダミーデータを挿入してビデオバッファ６ａに送ることにより、上記リニアバッファＬＢに残存しているデータを順に押し出すようにしている。すなわち、上記図１のデマルチプレクサ５への情報信号供給が停止されたときには、コントローラ１１は制御信号を図５のデータ挿入部に送ってデータ発生部５２及び切り換えスイッチ５５を制御し、データ発生部５２で発生されたダミーデータを切り換えスイッチ５５を介してセレクタ５３に送るようにする。セレクタ５３は上記ビデオ切り換え端子Ｖに切り換えられて、このダミーデータが上記ビデオデコーダ６のビデオバッファ６ａに送られ、上記リニアバッファＬＢに残存していた映像情報が押し出されるから、この映像情報がデコードされて表示される。
【００５９】
なお、上記ダミーデータ（無効データ）としては、デコードの際に読み飛ばされるようなデータ（例えば“ＦＦ”等）が用いられ、このダミーデータ自体は、画像の表示には何ら影響を及ぼさないものである。
【００６０】
次に、図７によって、デマルチプレクサ５の他の一例を説明する。
このデマルチプレクサ５は、上述の例と同じく、解析部５１と、データ発生部５２と、セレクタ５３と、切り換えスイッチ５５とから構成されている。しかし、このデマルチプレクサ５においては、データ発生部５２と切り換えスイッチ５５とから成るデータ挿入部が、セレクタ５３のビデオ切り換え端子Ｖの出力側に接続されている。
【００６１】
このデマルチプレクサ５に入力した情報信号は、上記と同じく解析部５１にてパケット毎に解析され、該パケットは解析部５１からの制御の下にセレクタ５３にてビデオ切り換え端子Ｖ、サブピクチャ切り換え端子ＳＰ、オーディオ切り換え端子Ａ、ナビゲーション切り換え端子ＮＶに切り換えられる。
【００６２】
上記データ挿入部は、この情報信号処理装置に供給される情報信号が停止した場合には、上記コントローラ１からの制御信号によって制御され、上記セレクタ５３のビデオ切り換え端子Ｖから出力される映像情報の代わりに、データ発生部５２で発生されたダミーデータが、切り換えスイッチ５５を介してデマルチプレクサ５か出力される。
【００６３】
この図７の構成によっても、上記図５の構成と同様に、上記情報信号の供給停止時にダミーデータを上記ビデオバッファ６ａに送って、リニアバッファＬＢに残存する映像情報を押し出すことができることは勿論である。
【００６４】
ここで、図８によって、映像情報にダミーデータが挿入される態様の一例を説明する。上記ビデオ切り換え端子Ｖからは、映像情報として、このデマルチプレクサ５に入力したビデオパケットＶ＿ＰＫＴの内の、実質的な映像情報を含むビデオパケットペイロードＰＴＫ＿ＰＬ単位で出力される。上記ダミーデータ等の挿入データＩＮＳは、このビデオパケットペイロードＰＫＴ＿ＰＬの間に挿入される。
【００６５】
続いて、デマルチプレクサ５と、ビデオデコーダ６との間の情報信号の受け渡しの詳細について説明する。
【００６６】
ここでのデマルチプレクサ５は、図９に示すように、解析部５１と、データ挿入部５６と、セレクタ５３と、インターフェース５４とを備えている。また、ビデオデコーダ６は、ビデオバッファ６ａを備えている。
【００６７】
このデマルチプレクサ５に入力した情報信号は、解析部５１にてパケットの種類を解析され、該パケットは解析部５１の制御に基づいてセレクタ５３にて切り換えられ、映像情報はビデオパケットペイロードを単位としてビデオデコーダ６に出力される。そして、この映像情報は、上記ビデオデコーダ６の備えるビデオバッファ６ａに入力する。
【００６８】
上記データ挿入部５６は、このデマルチプレクサ５にコントローラ１から供給される制御信号によって制御され、上記映像情報に上記セレクタ５３を介して所定のデータを挿入する。即ち、、このデータ挿入部５６は、ダミーデータの挿入、システムヘッダの挿入等をおこなう。このシステムヘッダの挿入については後述する。
【００６９】
上記インタフェース５４は、ビデオデコーダ６に、データクロック信号ＣＤＣＫと、ビデオデータを送っている間ローレベルとなるビデオストローブ信号ＶＳＴＢを与え、ビデオフル信号ＶＦＵＬＬを受け取る。そして、これらの状況を解析部５１に報知する。
【００７０】
次に、上述したビデオバッファ６ａに蓄積されているデータの量の時間変化について説明する。
【００７１】
このデータ量は、図１０に示すように、時刻ｔ１、時刻ｔ２，時刻ｔ３において一挙に減少している。これは、これらの時刻ｔ１、ｔ２、ｔ３においてデコードするデータを引き抜いたためである。図中の折れ線の傾きは、このビデオバッファ６ａにデータが入力されるレートを示している。
【００７２】
次に、上述の図８にて示した各種信号について説明する。
【００７３】
データクロック信号ＣＤＣＫは、図１１中の（ａ）に示すように、周期一定の方形波であり、データを転送するタイミングを与える。
【００７４】
データ信号ＣＤは、図１１中の（ｂ）に示すように、上記データクロック信号ＣＤＣＫの与えるタイミング基づいて、データクロックＣＤＣＫの１周期にデータの単位を同期させて送る。
【００７５】
ビデオストローブ信号ＶＳＴＢは、図１１中の（ｃ）に示すように、データ信号ＣＤが有効な場合にはローレベルであるが、無効の場合にはハイレベルとなる。
【００７６】
ビデオフル信号ＶＦＵＬＬは、図１１中の（ｄ）に示すように、ビデオバッファ６ａに蓄積されたデータがこのビデオバッファの容量の上限値に達した場合に報知する信号である。
【００７７】
このビデオフル信号ＶＦＵＬＬがハイレベルになると、ビデオストローブ信号ＶＳＴＢはハイレベルとなり、デマルチプレクサ５からビデオデコーダ６への有効データの供給が停止される。
【００７８】
次に、上掲の図９にて示したデマルチプレクサ５の備えるデータ挿入部５２による画像情報に対するデータ挿入の他の一例について説明する。
【００７９】
上記情報信号処理装置においては、いわゆるＭＰＥＧのフォーマットに基づく映像信号を再生している際に、映像の位置をジャンプする等の特殊再生を行う場合がある。
【００８０】
ここで、ＭＰＥＧとは、ＩＳＯ−ＩＥＣ／ＪＴＣ１／ＳＣ２／ＷＧ１１にて議論され、標準案として提案されたものであり、動き補償予測符号化と離散コサイン変換符号化とを組み合わせたハイブリッド方式のデータ圧縮規格である。
【００８１】
このようなＭＰＥＧによる画像情報は、フレーム内予測符号化画像（イントラ符号化画像、Ｉピクチャ）とフレーム間順方向予測符号化画像（Ｐピクチャ）と、フレーム間双方向予測符号化画像（Ｂピクチャ）とから構成される。
【００８２】
ＭＰＥＧによる画像情報の一例としては、Ｉピクチャと、４フレームのＰピクチャと、１０フレームのＢピクチャとを有するフレームが、１５フレームで構成するものがある。
【００８３】
ところで、このようなＭＰＥＧによる映像情報には、図１２中の（ａ）に示すように、一連の映像情報の中途のＩピクチャＩNには、システムヘッダＳＨが付加されていない場合がある。
【００８４】
このような場合には、このＩピクチャＩNにおける必要な情報をシステムヘッダＳＨから取得することができないので、このＩピクチャＩNに映像をジャンプしてからの再生が正常に行われない場合がある。
【００８５】
上述した図５や図７に示すデータ挿入部（データ発生部５２及び切り換えスイッチ５５）は、コントローラ１の制御により、ビデオデコーダ６に絵像信号を出力する際に、図１２中の（ｂ）に示すように、映像信号のＩピクチャにシステムヘッダを付加することができる。これは、図５や図７のデータ発生部５２として上記システムヘッダＳＨを発生する回路を用いることで実現できる。
【００８６】
このような映像信号は、所定の箇所にシステムヘッダＳＨを有しているので、ジャンプ等の特殊再生の場合にも、不具合なく映像を表示することができる。
【００８７】
【発明の効果】
上述したように、この発明に係る情報信号装置及び方法によると、デマルチプレクサにおいて、所定の場合に映像信号に所定のデータを挿入することによりビデオバッファの蓄積する映像情報を排出させるので、再生の停止やジャンプ等の特殊再生の際にバッファに残存する映像が表示されないことが防止できる。
【００８８】
また、映像情報にシステムヘッダ等の一定の情報を挿入することにより、映像信号の再生を開始する箇所の選択を広げることができる。
【図面の簡単な説明】
【図１】  この発明に係る情報信号処理装置の概略的な構成を示すブロック図である。
【図２】  上記情報信号処理装置の要部の構成を示すブロック図である。
【図３】  ＤＶＤ−ＶＩＤＥＯディスクにおけるデータの構造を示すデータ構造図である。
【図４】  上記情報信号処理装置の備えるデマルチプレクサに入力する情報信号のデータ構造の一例を示すデータ構造図である。
【図５】  上記デマルチプレクサの構成の一例を示すブロック図である。
【図６】  上記ビデオデコーダの備えるビデオバッファの構成を概略的に示す模式図である。
【図７】  上記デマルチプレクサの構成の他の一例を示すブロック図である。
【図８】  上記デマルチプレクサの備えるデータ挿入部によってデータを挿入された映像情報のデータ構造を示すデータ構造図である。
【図９】  上記情報信号処置装置の備えるビデオデコーダ及び上記デマルチプレクサの間のデータの受け渡しを示すブロック図である。
【図１０】  上記ビデオバッファに蓄えられるデータの量の経時変化を示すグラフである。
【図１１】  上記デマルチプレクサとビデオデコーダとの間の各種信号のタイムチャートである。
【図１２】  特殊再生が行われる画像情報の一例を示すデータ構造図である。
【符号の説明】
１  光ディスク、４  データデコーダ、５  デマルチプレクサ、６  ビデオデコーダ、６ａ  ビデオバッファ
【図１】
0003823426.tif 000002
【図２】
0003823426.tif 000003
【図３】
0003823426.tif 000004
【図４】
0003823426.tif 000005
【図５】
0003823426.tif 000006
【図６】
0003823426.tif 000007
【図７】
0003823426.tif 000008
【図８】
0003823426.tif 000009
【図９】
0003823426.tif 000010
【図１０】
0003823426.tif 000011
【図１１】
0003823426.tif 000012
【図１２】
0003823426.tif 000013